(57)【要約】【課題】  本発明は、袴釘や三角釘等釘間隔が狭い場所や浮いた球も測定できる遊技機障害釘間隔測定装置を提供する。【解決手段】  前記遊技機障害釘間隔測定装置における測定杆の一方は、先端部に突出する先端突出部と、一方の側部に突出する側部突出部とから構成されている。前記遊技機障害釘間隔測定装置における測定杆の他方は、前記一方の側部と反対側に突出する側部突出部から構成されている。前記一組の測定杆は、互いの内側に凹部または凸部が成形され、遊技機障害釘の間に挿入する際に前記凹部と凸部が嵌まり合うことにより閉じ、前記遊技機障害釘の間隔を測定する際に前記凹部と凸部が互いに反発する方向に移動できる構造になっている。【選択図】  図１
2005278749.tif 000002
【特許請求の範囲】
【請求項１】
遊技基板面に遊技機障害釘を備えている遊技機における遊技機障害釘間隔測定装置において、
内側に成形された凹部および凸部を互いに嵌め込んだ状態で、前記遊技機障害釘の間に挿入し、前記遊技機障害釘の内法間隔を測定する際に前記凹部と凸部が互いに反発する方向に移動する一組の測定杆と、
前記測定杆のいずれか一方に成形され、遊技基板面に先端が当接するための先端突出部、および前記測定杆の側部に成形され、前記遊技基板面から所定の距離における遊技機障害釘の内法間隔を測定するために一側方に突出する側部突出部と、前記測定杆の他方に成形され、前記遊技基板面から所定の距離における遊技機障害釘の内法間隔を測定するために他側方に突出する側部突出部とから構成されている釘接触ゲージ部と、
を少なくとも備えていることを特徴とする遊技機障害釘間隔測定装置。
【請求項２】
遊技基板面に遊技機障害釘を備えている遊技機における遊技機障害釘間隔測定装置において、
内側に成形された凹部および凸部を互いに嵌め込んだ状態で、前記遊技機障害釘の間に挿入し、前記遊技機障害釘の内法間隔を測定する際に前記凹部と凸部が互いに反発する方向に移動する一組の測定杆と、
前記測定杆のいずれか一方に成形され、遊技基板面に先端が当接するための先端突出部、および前記測定杆の側部に成形され、前記遊技基板面から所定の距離における遊技機障害釘の内法間隔を測定するために一側方に突出する側部突出部と、前記測定杆の他方に成形され、前記遊技基板面から所定の距離における遊技機障害釘の内法間隔を測定するために他側方に突出する側部突出部とから構成されている釘接触ゲージ部と、
前記測定杆の間隔を釘幅に変換するエンコーダと、前記エンコーダのデータを記憶するメモリと、前記エンコーダのデータを処理するとともにホストコンピュータに伝達するための通信機能を有するＣＰＵと、から少なくとも構成される測定機本体と、
を備えていることを特徴とする遊技機障害釘間隔測定装置。
【請求項３】
前記釘接触ゲージ部に成形された一方および他方の側部突出部の測定機本体側には、遊技機障害釘の傘の下部に当接する逆Ｌ字状部が成形されていることを特徴とする請求項１または請求項２に記載された遊技機障害釘間隔測定装置。
【請求項４】
前記釘接触ゲージ部に成形された一方および他方の側部突出部には、遊技機障害釘が当接する凹部が成形されていることを特徴とする請求項１から請求項３のいずれか１項に記載された遊技機障害釘間隔測定装置。
【請求項５】
前記釘接触ゲージ部に成形された一方および他方の側部突出部における凹部は、前記測定杆の長さ方向のほぼ中央部に山があり、前記山から前記測定杆の長さ方向にそれぞれ１５度以下の傾斜を有することを特徴とする請求項１から請求項４のいずれか１項に記載された遊技機障害釘間隔測定装置。
【請求項６】
前記一組の測定杆は、測定機本体側と着脱自在に構成されていることを特徴とする請求項１から請求項５のいずれか１項に記載された遊技機障害釘間隔測定装置。
【発明の詳細な説明】
【技術分野】
【０００１】
本発明は、遊技基板面に植設された遊技機障害釘を有する遊技機の遊技機障害釘の内法間隔を測定する遊技機障害釘間隔測定装置に関するものである。本発明は、特に、パチンコ遊技機等における遊技機障害釘の内法間隔の測定に際し、袴釘（はかま釘）の第２番目の遊技機障害釘間隔、三角釘の遊技機障害釘間隔のように接触ゲージ部が入り難い場所において、遊技機障害釘の内法間隔を正確に測定することができるものである。本明細書において、前記遊技機障害釘は、パチンコ遊技を行うパチンコ遊技機の遊技基板面に植設されているものである。
【背景技術】
【０００２】
遊技機用の遊技機障害釘は、基板面に数百本植設されており、１０本から２０本程度のパチンコ球が入賞するか否かを決定するいわゆる命釘、パチンコ球の通り道を決定する道釘、パチンコ球をジャンプさせて方向を転換させるジャンプ釘等からなる。また、前記遊技機障害釘には、傾斜を遊技基板面に対して、上げ下げする上げ釘、下げ釘があり、これらの遊技機障害釘により、パチンコ球の通過確率が異なって来る。
【０００３】
前記命釘、道釘、ジャンプ釘となる遊技機障害釘は、遊技基板面に対して、いろいろな方向や傾斜角度となるように曲げられて、遊技場と顧客の収益との調和が計られている。しかし、遊技機障害釘は、特殊な能力を持つ釘師の勘により、１００分の１ｍｍ程度の単位で調整が行われていた。前記釘師は、一人前になるのに、１０年から２０年以上かかるといわれている。
【０００４】
前記釘師は、前記遊技機障害釘の頭を左右前後方向（３６０度）に打つことにより、遊技基板面に対する遊技機障害釘の方向と傾斜角度（財団法人保安電子通信技術協会では、「何時方向に何度」という表現を行っている。）が異なるように曲げて、パチンコ球の通過を難しくしたり、あるいは通過を容易にするように調整している。
【０００５】
前記遊技機障害釘の内法間隔は、遊技機障害釘の頭部を打ち、遊技基板面に対する方向と傾斜角度を何時方向に何度というように変えることにより、遊技基板面から高さ方向の中間部（５．５ｍｍの高さ）の内法寸法において、パチンコ球の直径部分（最厚部）が通過または非通過となるようにする必要がある。
【０００６】
遊技機障害釘の内法間隔を調整する者は、たとえば、多数植設された遊技機障害釘の中の二本（前記命釘）に注目し、接触ゲージ部（測定装置の先端部）を当接して、前記遊技機障害釘の内法間隔をアナログ的に測定する。しかし、前記測定者は、多数複雑な方向と傾斜角度で植設された遊技機障害釘の中で、前記測定装置をいくら上手に扱っても、正確に測定することができなかった。
【０００７】
すなわち、二本の遊技機障害釘の内法間隔は、前記接触ゲージ部の当て方次第で寸法が異なってしまう。また、遊技基板面の上には、遊技機障害釘以外に、複数個の入賞装置（役もの）、風車、ランプ等が存在しており、これらが邪魔になるため、二本の遊技機障害釘の所定の高さ（遊技基板面上から５．５ｍｍの高さ）における間隔を正しく測定することが困難であった。
【０００８】
前記遊技機障害釘間隔の測定装置は、たとえば、実開平３−３３３０２号公報に記載されているようなパチンコボール型の分割球が付いているもので、所定の高さ方向の間隔をアナログ的に測定するものがあった。図８は従来例における遊技機障害釘間隔を測定する測定装置を説明するための図である。
【０００９】
図８において、遊技機障害釘間隔測定装置８０は、遊技機障害釘間隔をアナログ的に表示する測定ゲージ８４と、前記測定ゲージ８４に設けられ、互いに反対方向に押し合っている測定杆８１、８１′と、前記それぞれの測定杆８１、８１′の先端部に設けられた測定ピン８３、８３′を備えた分割球８２、８２′とから構成されている。
【００１０】
また、前記測定ピン８３、８３′は、前記分割球８２、８２′の中心からずれる位置で、測定する際に、遊技機障害釘の中心になるように設けられている。前記分割球８２、８２′、および測定ピン８３、８３′から構成される測定ゲージを使用した遊技機障害釘間隔の測定装置は、たとえば、特開平６−９８９７５号公報に記載されているようにディジタルデータとして測定できるものもある。
【特許文献１】実開平３−３３３０２号公報
【特許文献２】特開平６−９８９７５号公報
【発明の開示】
【発明が解決しようとする課題】
【００１１】
前記遊技機障害釘間隔測定装置は、前記遊技機障害釘の内法に前記接触ゲージを接触させることにより、前記遊技機障害釘間隔を測定することができる。前記遊技機障害釘間隔測定装置の接触ゲージは、遊技基板面に対してほぼ垂直であっても、平行な遊技機障害釘を測定する場合、水平方向のずれ（ヨーイング）および左右回転方向のずれ（ローリング）について気を付ける必要がある。  
【００１２】
前記水平方向および左右回転方向のずれに対して気を付けて測定する場合、前記接触ゲージは、通常、手さぐり（触診）で行っていた。前記接触ゲージは、前記水平方向および左右回転方向を手さぐり（両方の測定ピンが遊技機障害釘に同時に接触しているか否か）で確かめた後、比較的正しい位置に配置することができる。
【００１３】
図５はパチンコ遊技機の遊技機障害釘における袴釘を測定する例を説明するための図である。図６はパチンコ遊技機における遊技機障害釘となる袴釘と命釘との関係を説明するための図である。図５および図６において、一番上の遊技機障害釘５１、５１′の内法間隔を測定する場合、接触ゲージは、前記遊技機障害釘５１、５１′の上部からその間に挿入し、遊技機障害釘の５．５ｍｍの高さに前記測定ピン８３、８３′を当てることができる。
【００１４】
しかし、前記袴釘の第２番目の遊技機障害釘５２、５２′は、前記測定ピン８３、８３′が邪魔になり、上部または下部から入れることができない。前記接触ゲージは、遊技基板面の垂直方向から挿入する場合、遊技機障害釘の頭部が邪魔になり前記方向からも挿入することができない。
【００１５】
図５および図６に示す袴釘は、遊技機障害釘５１、５１′、５２、５２′、５３、５３′のように下に行くにしたがい広げられている。また、前記各袴釘の中心部と下部に存在する命釘６１、６１′の中心とは、距離ａだけ異なるようにしている。前記距離ａは、たとえば、約０．５ｍｍないし１．５ｍｍである。
【００１６】
前記一番上の袴釘５１、５１′の中心における間隔は、１３ｍｍであり、前記命釘６１、６１′（図６参照）とのズレが前記約０．５ｍｍないし１．５ｍｍであるため、釘調整によるパチンコ遊技の演出を様々にすることができる。すなわち、前記パチンコ遊技の演出を面白くするのは、前記袴釘５１、５１′の一番上より２番目にある遊技機障害釘５２、５２′の内法間隔であることが判った。
【００１７】
しかし、本出願人は、前記２番目にある遊技機障害釘５２、５２′における間隔の調整がパチンコホール経営に重要であることに気付いたが、前記遊技機障害釘５２、５２′の内法間隔を正確に測定出来ないことに気付いた。
【００１８】
図７は遊技機障害釘における三角釘を説明するための図である。三角釘は、基本的には正三角形で構成された遊技機障害釘７１ないし７３の列である。しかし、前記遊技機障害釘７１ないし７３は、頂点の遊技機障害釘７３を真上に、底辺の遊技機障害釘７１、７２を左右下がり気味に広げるか、あるいは下げずに、左右広げるかのどちらかである。
【００１９】
また、前記三角釘７１ないし７３の各間隔は、１３ｍｍであり、前記三角釘７１と前記三角釘７２と７３を結んだ線との距離は、約７．３ｍｍである。すなわち、前記三角釘７１と７３、前記三角釘７２と７３は、従来の釘接触ゲージによって遊技機障害釘間隔を測定できる。しかし、前記三角釘７１と７２の間には、前記三角釘７２と７３、前記三角釘７１と７３の間を通過して前記釘接触ゲージを上部から当てがうことができない。前記三角釘７１と７２は、その下部に入賞口等があるのが普通であり、前記釘接触ゲージを下部から当てがうこともできない。
【００２０】
以上のような課題を解決するために、本発明は、遊技基板面上に植設された遊技機障害釘の内法間隔が狭くともその間隔を正確に測定することができる遊技機障害釘間隔測定装置を提供することを目的とする。本発明は、遊技機障害釘に衝突して飛び跳ね、ガラス寄りを通過するパチンコ球に対しても、遊技機障害釘の内法間隔を正確に測定することができる遊技機障害釘間隔測定装置を提供することを目的とする。
【課題を解決するための手段】
【００２１】
（第１発明）
第１発明の遊技機障害釘間隔測定装置は、遊技基板面に遊技機障害釘を備えている遊技機における遊技機障害釘の内法間隔を測定するものであり、内側に成形された凹部および凸部を互いに嵌め込んだ状態で、前記遊技機障害釘の間に挿入し、前記遊技機障害釘の内法間隔を測定する際に前記凹部と凸部が互いに反発する方向に移動する一組の測定杆と、前記測定杆のいずれか一方に成形され、遊技基板面に先端が当接するための先端突出部、および前記測定杆の側部に成形され、前記遊技基板面から所定の距離における遊技機障害釘の内法間隔を測定するために一側方に突出する側部突出部と、前記測定杆の他方に成形され、前記遊技基板面から所定の距離における遊技機障害釘の内法間隔を測定するために他側方に突出する側部突出部とから構成されている釘接触ゲージ部と、を少なくとも備えていることを特徴とする。
【００２２】
（第２発明）
第２発明の遊技機障害釘間隔測定装置は、遊技基板面に遊技機障害釘を備えている遊技機における遊技機障害釘の内法間隔を測定するものであり、内側に成形された凹部および凸部を互いに嵌め込んだ状態で、前記遊技機障害釘の間に挿入し、前記遊技機障害釘の内法間隔を測定する際に前記凹部と凸部が互いに反発する方向に移動する一組の測定杆と、前記測定杆のいずれか一方に成形され、遊技基板面に先端が当接するための先端突出部、および前記測定杆の側部に成形され、前記遊技基板面から所定の距離における遊技機障害釘の内法間隔を測定するために一側方に突出する側部突出部と、前記測定杆の他方に成形され、前記遊技基板面から所定の距離における遊技機障害釘の内法間隔を測定するために他側方に突出する側部突出部とから構成されている釘接触ゲージ部と、前記測定杆の間隔を釘幅に変換するエンコーダと、前記エンコーダのデータを記憶するメモリと、前記エンコーダのデータを処理するとともにホストコンピュータに伝達するための通信機能を有するＣＰＵと、から少なくとも構成される測定機本体とを備えていることを特徴とする。
【００２３】
（第３発明）
第３発明の遊技機障害釘間隔測定装置は、第１発明および第２発明において、釘接触ゲージ部に成形された一方および他方の側部突出部の測定機本体側に遊技機障害釘の傘の下部に当接する逆Ｌ字状部が成形されていることを特徴とする。
【００２４】
（第４発明）
第４発明の遊技機障害釘間隔測定装置は、第１発明ないし第３発明において、釘接触ゲージ部に成形された一方および他方の側部突出部に遊技機障害釘が当接する凹部が成形されていることを特徴とする。
【００２５】
（第５発明）
第５発明の遊技機障害釘間隔測定装置は、第１発明ないし第４発明において、釘接触ゲージ部に成形された一方および他方の側部突出部における凹部に前記測定杆の長さ方向のほぼ中央部に山があり、前記山から前記測定杆の長さ方向にそれぞれ１５度以下の傾斜を有することを特徴とする。
【００２６】
（第６発明）
第６発明の遊技機障害釘間隔測定装置は、第１発明ないし第５発明において、一組の測定杆が測定機本体側と着脱自在に構成されていることを特徴とする。
【発明の効果】
【００２７】
本発明によれば、測定杆の内側に互いに嵌合できる凹部および凸部が成形されているため、狭い場所あるいは障害物の多い場所に植設されている遊技機障害釘の内法間隔を測定することができる。また、前記測定杆に成形された凹部および凸部は、使用頻度が高くとも強度的に変形の恐れがなく、前記遊技機障害釘の内法間隔を正確に測定することができる。
【００２８】
本発明によれば、測定杆における釘接触ゲージ部において、先端部に成形された先端突出部を遊技基板面に、また、両側部に成形された左右側部突出部を遊技機障害釘の内法に当接するだけで、前記遊技機障害釘の内法間隔を正確に測定することができる。
【００２９】
本発明によれば、釘接触ゲージ部に左右側部突出部の測定機本体側に成形された逆Ｌ字状部に遊技機障害釘の傘の下部を当接することにより、ガラス寄りのパチンコ球が通過する位置における遊技機障害釘の内法間隔を正確に測定するこができる。
【００３０】
本発明によれば、釘接触ゲージ部に設けられている側部突出部に成形されている凹部に遊技機障害釘が接触し易い形状になっているため、釘接触ゲージの挿入方向に大幅な誤差がある場合に気づき易く、正確な測定が可能になった。
【００３１】
本発明によれば、釘接触ゲージ部に成形された側部突出部の凹部は、測定杆の長さ方向に対して、山からそれぞれ１５度以下の傾斜を持たせているため、左右方向に傾斜した遊技機障害釘の測定が容易になった。
【００３２】
本発明によれば、遊技機障害釘の並び方や役もの等が障害となって正確な測定ができない場合が生じても、釘接触ゲージ部の形状の異なる測定杆と交換して、測定機本体に取り付けられるので、正確な測定ができる。
【００３３】
本発明によれば、正確な遊技機障害釘間隔のデータを得ることができるため、ホストコンピュータによって、パチンコホールの経営に対する健全な経営管理を行うことが容易になった。
【発明を実施するための最良の形態】
【００３４】
（第１発明）
第１発明の遊技機障害釘間隔測定装置は、遊技基板面に植設され、何時方向に何度傾斜した遊技機障害釘の内法間隔を測定するためのものである。前記遊技機障害釘間隔測定装置における測定杆の一方は、先端部に突出する先端突出部と、一方の側部に突出する側部突出部とから構成されている。前記遊技機障害釘間隔測定装置における測定杆の他方は、前記一方の側部と反対側に突出する側部突出部から構成されている。
【００３５】
前記一方の測定杆に成形された先端突出部および側部突出部と、前記他方の測定杆に成形された側部突出部とは、遊技機障害釘の内法間隔を測定する釘接触ゲージ部を構成しており、前記遊技基板面から５．５ｍｍの高さで、前記遊技機障害釘の内法間隔が測定できる。
【００３６】
前記一組の測定杆は、互いの内側に凹部または凸部が成形され、遊技機障害釘の間に挿入する際に前記凹部と凸部が嵌まり合うことにより閉じ、前記遊技機障害釘の間隔を測定する際に前記凹部と凸部が、たとえばバネ等により、互いに反発する方向に移動できる構造になっている。前記一組の測定杆に設けられた凹部または凸部は、測定杆の太さを細くして、狭い遊技機障害釘間に挿入できるようにしても、十分な強度を保持できるため、経年変化によっても狂いがなく、正確な遊技機障害釘の内法間隔を測定することができる。
【００３７】
（第２発明）
第２発明の遊技機障害釘間隔測定装置は、一組の測定杆と、前記測定杆に成形された釘接触ゲージ部と、測定機本体とから構成されている点で第１発明と異なっている。前記測定機本体には、前記測定杆の間隔を釘幅に変換するエンコーダと、前記エンコーダのデータを記憶するメモリと、前記エンコーダのデータを処理するとともにホストコンピュータに伝達するための通信機能を有するＣＰＵとから少なくとも構成されている。
【００３８】
前記測定機本体は、前記一組の測定杆と釘接触ゲージ部によって遊技機障害釘の内法間隔を測定し、その値をディジタルデータとしてホストコンピュータに通信する機能を有する。前記遊技機障害釘間隔測定装置によって測定された遊技機障害釘間隔データは、パチンコ台毎にホストコンピュータに送信され、その日における出玉データ等の情報とともに経営情報として管理される。
【００３９】
（第３発明）
第３発明の遊技機障害釘間隔測定装置は、釘接触ゲージ部における側部突出部の測定機本体側、すなわち、測定機本体側に遊技機障害釘の頭部である傘の下部に当接する逆Ｌ字状部が構成されている。前記側部突出部に成形された逆Ｌ字状部は、遊技機障害釘の傘の下部に当接し易い構造になっている。したがって、本発明の遊技機障害釘間隔測定装置は、遊技基板面から５．５ｍｍの高さと、ガラス寄りの球が通過する位置の遊技機障害釘の内法間隔を一つの測定機により測定することができる。
【００４０】
（第４発明）
第４発明の遊技機障害釘間隔測定装置は、釘接触ゲージ部に成形されている側部突出部に遊技機障害釘の側面が当接するのに適した凹部からなる溝が成形されている。前記凹部からなる溝は、遊技機障害釘の側面を常に同じ位置で保持し易いため、前記遊技機障害釘の内法間隔を正確に測定することが容易になる。
【００４１】
（第５発明）
第５発明の遊技機障害釘間隔測定装置は、釘接触ゲージ部に成形された側部突出部における凹部からなる溝に前記測定杆の長さ方向のほぼ中央部に山があり、前記山から前記測定杆の長さ方向にそれぞれ１５度以下の傾斜を有する。前記遊技機障害釘の傾斜は、遊技機障害釘間隔における一番狭い距離（根元）、遊技基板面から５．５ｍｍの位置、遊技機障害釘の中間位置、遊技機障害釘における傘の下部の位置等を考慮した結果、前記凹部の傾斜が１５度以下で良いことが判った。
【００４２】
（第６発明）
第６発明の遊技機障害釘間隔測定装置は、接触ゲージ部を備えている一組の測定杆が測定機本体から着脱自在に構成されている。第６発明は、一組の測定杆が着脱自在に交換できるため、通常の接触ゲージでは正確に測定できない遊技機障害釘の内法間隔を異なる特殊な形状に成形された接触ゲージを用いて正確に測定することができる。
【実施例１】
【００４３】
図１は本発明の実施例である遊技機障害釘の内法間隔を測定する測定杆および釘接触ゲージ部を説明するための図で、（イ）および（ハ）は測定杆を閉じた状態、（ロ）および（ニ）は袴釘を測定している状態である。図２（イ）は本発明の実施例である釘接触ゲージ部を最大測定幅にした状態を説明するための図で、（ロ）は釘接触ゲージ部により遊技機障害釘の頭部である傘の下部の間隔を測定する状態を説明するための図である。
【００４４】
図１および図２において、測定子１１は、オス型の測定杆１２と、メス型の測定杆１３とから構成されている。前記オス型の測定杆１２は、内側に成形された凸部１２１と、側部に遊技機障害釘１４、１５と接触する溝からなる凹部を有する側部突出部１２２が成形されている。また、前記メス型の測定杆１３は、内側に前記凸部１２１と嵌合する形状の凹部１３１と、側部に遊技機障害釘１４、１５と接触する溝からなる凹部を有する側部突出部１３２と、先端部に遊技基板面１６に当接する先端突出部１３４とから構成されている。          
【００４５】
図１（イ）および（ハ）において、測定杆１２、１３における前記凸部１２１と凹部１３１は、互いに嵌合することで、閉じた状態になり、測定すべき遊技機障害釘１４、１５の狭い間に挿入することができる。図１（ロ）および（ニ）において、測定杆１２、１３に成形された側部突出部１２２、１３２は、凹部に遊技機障害釘の内側に接触するように、図示されていないバネ等により広がる。また、前記状態で、測定杆１２、１３の先端突出部１３４は、遊技基板面１６に当接することで測定が正確にできる。
【００４６】
図２（イ）において、測定杆１２、１３における側部突出部１２２、１３２の測定機本体（図示されていない）側に逆Ｌ字状部１２４、１３８が成形されている。前記逆Ｌ字状部１２４、１３８は、遊技機障害釘における傘の下部に当接させることにより、パチンコ球が跳ね上がりにより、ガラス寄りを通過する際の遊技機障害釘の内法間隔を測定することができる。
【００４７】
図示されていない測定機本体は、前記測定杆１２、１３が交換自在に接続されており、遊技機障害釘の内法間隔を長さに変換するエンコーダと、前記エンコーダのデータを記憶・演算処理するメモリ機能付きＣＰＵと、前記エンコーダのデータを処理するとともにホストコンピュータに伝達するためのホストコンピュータ通信機能を有する。前記ホストコンピュータは、前記遊技機障害釘の内法間隔データと、パチンコ遊技機と、当該パチンコ遊技機の出玉データ等を日毎あるいは時間毎に管理して、経営情報として役立てることができる。
【００４８】
図３（イ）ないし（ハ）は本発明の実施例における測定杆の側部突出部の拡大図で、（ニ）は前記拡大斜視図である。図４は本発明の実施例における測定杆を側面から見た図である。測定杆１２、１３の側部突出部１２２、１３２は、遊技機障害釘１４、１５の側面が接触する溝からなる傾斜部１３５、１３７を有する。また、前記傾斜部１３５、１３７（図３（ニ）参照）は、遊技機障害釘１４、１５の長さ方向のほぼ中間部に頂部１３６が成形され、前記頂部１３６を境にして、１５度以下で下がる傾斜が付けられている。
【００４９】
前記１５度以下に関する根拠は、遊技基板にほぼ垂直に植設した遊技機障害釘を横方向に８度ずつ傾斜させ、前記遊技機障害釘における根本の距離をたとえば、１０．８５ｍｍとした場合、次の遊技機障害釘間隔を測定した。すなわち、前記遊技機障害釘の遊技基板面から５．５ｍｍの高さにおける遊技機障害釘間隔は、１２．３８ｍｍ、前記遊技機障害釘の中間部分における間隔は、１３．１５ｍｍ、遊技機障害釘における傘の下部の釘間隔は、１５．４６ｍｍであった。前記測定結果は、前記遊技機障害釘を横方向に８度以上傾斜させると、前記遊技機障害釘の中間部分における間隔が１３．００ｍｍを超えることになり、法的基準を上回ることになる。さらに、前記遊技機障害釘の一方を垂直にし、他方を傾斜させる場合、前記８度の倍以下、すなわち、前記遊技機障害釘の最大傾斜角度は、１５度であることが判る。
【００５０】
また、傾斜部１３５、１３７は、遊技機障害釘１４、１５の周囲に当接する領域であり、前記遊技機障害釘１４、１５の周囲を包むようにするために、ほぼ９０度に成形されている。
【００５１】
図４に示すように、前記測定杆１２、１３は、側部から見ると、釘接触ゲージ部を遊技機障害釘間に挿入し易い様に「へ」の字状に曲げられている。また、前記釘接触ゲージ部を構成する側部突出部１２２、１３２、および先端突出部１３４の厚さは、５．５ｍｍとなり、パチンコ球の最厚部と同じになっている。
【００５２】
本実施例は、釘接触ゲージの形状が異なるものを測定杆１２、１３毎に交換することができる。すなわち、前記測定杆１２、１３は、釘接触ゲージ部の形状を変えたものが複数組準備されており、遊技機障害釘、障害となる役者、入賞口、風車等の植設態様に応じた形状のものに交換することにより、遊技機障害釘間隔をより正確に測定することができる。たとえば、前記測定杆１２、１３の形状は、内側に湾曲または折り曲げたり、あるいは下方向に湾曲または折り曲げたものを準備しておくと良い。
【産業上の利用可能性】
【００５３】
以上、本発明の実施例を詳述したが、本発明は、前記実施例に限定されるものではない。そして、本発明は、特許請求の範囲に記載された事項を逸脱することがなければ、種々の設計変更を行うことが可能である。本実施例における測定杆の凹凸形状およびその数は、互いに嵌合でき、強度的に問題がなければ、変形したり、組数を変えることが可能である。
【００５４】
また、本発明は、特許請求の範囲に記載された事項を逸脱することがなければ、釘接触ゲージ部における側部突出部または先端突出部の形状を変えることができる。
【図面の簡単な説明】
【００５５】
【図１】本発明の実施例である遊技機障害釘の内法間隔を測定する測定杆および釘接触ゲージ部を説明するための図で、（イ）および（ハ）は測定杆を閉じた状態、（ロ）および（ニ）は袴釘を測定している状態である。（実施例１）
【図２】（イ）は本発明の実施例である釘接触ゲージ部を最大測定幅にした状態を説明するための図で、（ロ）は釘接触ゲージ部により遊技機障害釘の頭部である傘の下部の間隔を測定する状態を説明するための図である。
【図３】（イ）ないし（ハ）は本発明の実施例における測定杆の側部突出部の拡大図で、（ニ）は前記拡大斜視図である。
【図４】本発明の実施例における測定杆を側面から見た図である。
【図５】パチンコ遊技機の遊技機障害釘における袴釘を測定する例を説明するための図である。
【図６】パチンコ遊技機における遊技機障害釘となる袴釘と命釘との関係を説明するための図である。
【図７】遊技機障害釘における三角釘を説明するための図である。
【図８】従来例における遊技機障害釘間隔を測定する測定装置を説明するための図である。
【符号の説明】
【００５６】
１１・・・測定子
１２・・・測定杆
１２１・・・凸部
１２２・・・側部突出部
１２３・・・釘接触凹部
１２４・・・逆Ｌ字状部
１３・・・測定杆
１３１・・・凹部
１３２・・・側部突出部
１３３・・・釘接触凹部
１３４・・・先端突出部
１３５・・・傾斜部
１３６・・・頂部
１３７・・・傾斜部
１３８・・・逆Ｌ字状部
１４、１５・・・遊技機障害釘
１６・・・遊技基板面
【図１】
2005278749.tif 000003
【図２】
2005278749.tif 000004
【図３】
2005278749.tif 000005
【図４】
2005278749.tif 000006
【図５】
2005278749.tif 000007
【図６】
2005278749.tif 000008
【図７】
2005278749.tif 000009
【図８】
2005278749.tif 000010